(57)【要約】  本技術の開示での課題は、録画処理を効率的に行うことができる情報処理装置を提供することである。課題を解決するために、録画予約情報に対応する録画を実行する制御部を有する情報処理装置の制御方法において、前記制御部は、録画を実行する録画予約情報を受信し、前記録画予約情報に対応する録画の実行にあたり、前記情報処理装置に接続されたセンサを用いて、ユーザの存在を検出し、前記ユーザの存在を検出した場合、表示部に前記録画予約情報に対応する録画を実行するか否かのメッセージ情報を出力する。
2012127521.tif 000002
【特許請求の範囲】
【請求項１】
録画予約情報に対応する録画を実行する制御部を有する情報処理装置の制御方法において、
前記制御部は、
録画を実行する録画予約情報を受信し、
前記録画予約情報に対応する録画の実行にあたり、前記情報処理装置に接続されたセンサを用いて、ユーザの存在を検出し、
前記ユーザの存在を検出した場合、表示部に前記録画予約情報に対応する録画を実行するか否かのメッセージ情報を出力する、
ことを特徴とする情報処理装置の制御方法。
【請求項２】
前記制御部は、前記受信した録画予約情報が前記録画予約情報に対応する録画が不実行となる可能性があることを示す識別情報を有しているか否かを判定し、前記受信した録画予約情報が前記識別情報を有している場合、前記センサを用いて前記ユーザの存在を検出する、
ことを特徴とする請求項１記載の情報処理装置の制御方法。
【請求項３】
前記制御部は、前記表示部に前記メッセージ情報を出力した後に、操作部から前記録画の不実行命令を受信した場合、前記録画を中止する、
ことを特徴とする請求項２記載の情報処理装置の制御方法。
【請求項４】
前記制御部は、前記表示部に前記メッセージ情報を出力した後に、操作部から前記録画の実行命令を受信した場合、前記録画を実行する、
ことを特徴とする請求項２記載の情報処理装置の制御方法。
【請求項５】
前記制御部は、前記録画を中止した後に、操作部から前記表示部に表示されている番組の変更命令を受信した場合、前記録画を中止した録画予約情報に対応する録画を実行する、
ことを特徴とする請求項２記載の情報処理装置の制御方法。
【請求項６】
前記制御部は、前記録画を中止した後に、前記センサが前記ユーザの不在を検出した場合、前記録画を中止した録画予約情報に対応する録画を実行する、
ことを特徴とする請求項２記載の情報処理装置の制御方法。
【請求項７】
録画予約情報に対応する録画を実行する情報処理装置を制御する制御プログラムであって、
前記情報処理装置に、
録画を実行する録画予約情報を受信し、
前記録画予約情報に対応する録画の実行にあたり、前記情報処理装置に接続されたセンサを用いて、ユーザの存在を検出し、
前記ユーザの存在を検出した場合、表示部に前記録画予約情報に対応する録画を実行するか否かのメッセージ情報を出力する、
処理を実行させることを特徴とする情報処理装置の制御プログラム。
【請求項８】
録画予約情報に対応する録画を実行する情報処理装置において、
ユーザの存在を検出するセンサと、
録画を実行する録画予約情報を受信し、前記録画予約情報に対応する録画の実行にあたり、前記センサを用いて、ユーザの存在を検出し、前記ユーザの存在を検出した場合、表示部に前記録画予約情報に対応する録画を実行するか否かのメッセージ情報を出力する制御部と、
を有することを特徴とする情報処理装置。
【発明の詳細な説明】
【技術分野】
【０００１】
本発明は、情報処理装置、情報処理装置の制御方法及び制御プログラムに関する。
【背景技術】
【０００２】
テレビ、ビデオレコーダやＰＣ等の録画再生可能な映像視聴システムでの録画予約において、視聴したい映像が配信される時間に視聴可能か否かの判断が難しい場合、録画予約をしておくことが一般的である。しかし、実際に映像配信の時間に視聴可能な状態になった場合は、録画自体が無駄となってしまう。【０００３】
事前に録画不要となった場合、ユーザは、予約確認メニューを開いて、該当する録画予約をキャセルする等、深い階層をたどって予約のキャンセルをしなければならい。そのため、ユーザにとって、録画予約のキャンセルは、非常に面倒で手間と時間がかかる作業となる。さらに、キャンセルが間に合わなかった場合は録画し終わった後に録画映像を削除しなければならないため、録画可能容量の圧迫にもなり余計な手間もかかることになり、不要な電力も消費する。【０００４】
例えば、折り畳み式携帯電話にて、機器の開閉状態に応じて、録画予約を解除する技術がある（特許文献１）。【０００５】
また、例えば、顔検出手段が正面顔を検出できた場合に、顔認証を行う処理を省略する技術がある（特許文献２）。【０００６】
しかしながら、上述した技術では、処理の解除等の最終判断をユーザに任せていないため、適切な処理を行えない場合が生じてしまう。
【先行技術文献】
【特許文献】
【０００７】
【特許文献１】特開２００７−０２７９４６号公報
【特許文献２】特開２００８−１９８１２４号公報
【発明の概要】
【発明が解決しようとする課題】
【０００８】
本技術の開示での課題は、録画処理を効率的に行うことができる情報処理装置を提供することである。
【課題を解決するための手段】
【０００９】
上記課題を解決するために、録画予約情報に対応する録画を実行する制御部を有する情報処理装置の制御方法において、前記制御部は、録画を実行する録画予約情報を受信し、前記録画予約情報に対応する録画の実行にあたり、前記情報処理装置に接続されたセンサを用いて、ユーザの存在を検出し、前記ユーザの存在を検出した場合、表示部に前記録画予約情報に対応する録画を実行するか否かのメッセージ情報を出力する。
【発明の効果】
【００１０】
本開示の技術の一側面によれば、録画処理を効率的に行うことができる。
【図面の簡単な説明】
【００１１】
【図１】情報処理装置の外観を示す図である。
【図２】情報処理装置の構成を示す図である。
【図３】情報処理装置のハードウェア構成の一例を簡略的に示す図である。
【図４】録画予約画面を示す図（その１）である。
【図５】キャンセル可能にするかの選択メッセージを示す図である。
【図６】キャンセル選択メッセージを示す図（その１）である。
【図７】録画予約画面を示す図（その２）である。
【図８】録画予約画面を示す図（その３）である。
【図９】キャンセル選択メッセージを示す図（その２）である。
【図１０】録画予約画面を示す図（その４）である。
【図１１】録画予約画面を示す図（その５）である。
【図１２】情報処理装置の処理を示すフローチャート（その１）である。
【図１３】情報処理装置の処理を示すフローチャート（その２）である。
【図１４】情報処理装置の処理を示すフローチャート（その３）である。
【図１５】情報処理装置の処理を示すフローチャート（その４）である。
【図１６】情報処理装置の処理を示すフローチャート（その５）である。
【発明を実施するための形態】
【００１２】
以下、本実施形態における情報処理装置について説明する。
【００１３】
＜実施の形態１＞
図１に、本実施形態における情報処理装置１０の外観図を示す。情報処理装置１０は映像表示部１４及びセンサ１８を有している。本実施形態では、センサ１８は、映像表示部１４の上部に備えられている。なお、センサは、例えば、デスクトップパソコンの表示部、ノートパソコンの表示部や、ビデオデッキ等に備えられていても良い。
【００１４】
図２に、本実施形態における情報処理装置１０の構成図を示す。情報処理装置１０は、受信部１１、映像処理部１２、表示制御部１３、映像表示部１４、操作部１５、機器制御部１６、録画部１７及びセンサ１８を有する。
【００１５】
受信部１１は、配信される電波を受信し、映像信号を取り出す。受信部１１の一例は、チューナである。
【００１６】
映像処理部１２は、受信部１１が取り出した映像信号を実際に表示できるデータに変換する。受信部１１が取り出した映像信号は、そのままでは表示不可能であったり、プロテクトがかけられたりしている場合があるため、映像処理部１２による処理が必要となる。映像処理部１２は、一般的には、デコーダと呼ばれる。ただし、地上アナログ波等で、デコーダが必要ない映像受信機も存在する。また、ＰＣ（Ｐｅｒｓｏｎａｌ  Ｃｏｍｐｕｔｅｒ）等、ソフトウェアデコードが可能な機器は、特別なハードウェアを使用することなくＣＰＵ（Ｃｅｎｔｒａｌ  Ｐｒｏｃｅｓｓｉｎｇ  Ｕｎｉｔ）のような主処理回路を利用するプログラムがデコード処理を行う場合がある。
【００１７】
なお、受信部１１と映像処理部１２は、セットトップボックスのような単一の装置に組み込まれたものであってもよい。この場合、ケーブルテレビ網等を介して伝送される放送信号が受信部１１によって受信され、その放送信号に対して復調処理やスクランブル解除処理が映像処理部１２によって行われる。
【００１８】
表示制御部１３は、映像処理部１２や機器制御部１６から送信される映像データを映像表示部１４に表示するための制御を行う。なお、ＰＣ等ではグラフィック・コントローラ等が映像データを映像表示部１４に表示するための制御を行う場合が多い。
【００１９】
映像表示部１４は、データを実際にユーザに見える形に表示を行う部分である。映像表示部１４として、例えば、ＣＲＴ（Ｃａｔｈｏｄｅ  Ｒａｙ  Ｔｕｂｅ）、ＬＣＤ（Ｌｉｑｕｉｄ  Ｃｒｙｓｔａｌ  Ｄｉｓｐｌａｙ）やＰＤ（Ｐｌａｓｍａ  Ｄｉｓｐｌａｙ）等がある。
【００２０】
操作部１５は、情報処理装置１０の電源ＯＮ／ＯＦＦからチャンネル切り替え・録画指示等を操作する。ただし、ＰＣ等で、録画指示等を行う場合は、キーボードやマウスなどの標準で備わっているインプットデバイスを用いることが多い。
【００２１】
機器制御部１６は、操作部１５からの情報を基に、機器そのものを制御する。機器制御部１６は、録画された映像を編集する。なお、制御の一部もしくは大部分をプログラムが実行する場合がある。
【００２２】
録画部１７は、映像の録画を行う。録画部１７は、ＨＤＤ（Ｈａｒｄ  Ｄｉｓｋ  Ｄｒｉｖｅ）やＤＶＤ（Ｄｉｇｉｔａｌ  Ｖｅｒｓａｔｉｌｅ  Ｄｉｓｃ）等の録画媒体を使用して映像の録画を行う。
【００２３】
センサ１８は、内蔵／外付け問わず、表示部に装着され、ユーザの存在を検出し、機器制御部１６に通知する。なお、センサは、感知エリアの範囲制御等の関係から、有線／無線問わず、外付けも可能である。また、複数のセンサを用いても良い。この場合、より広範囲とするか複数のセンサに感知された場合とするかはオプションとする。
【００２４】
上記の構成において、操作部１５から、電源の投入、切断やチャンネル変更などの制御や録画の指示等が各機器になされる。
【００２５】
続いて、情報処理装置１０にて、映像を見る場合について説明する。操作部１５は、機器制御部１６に電源投入の指示を行う。機器制御部１６が、各機器の電源を投入することで、受信部１１、映像処理部１２、表示制御部１３、映像表示部１４、録画部１７及びセンサ１８が稼働する。
【００２６】
操作部１５は、機器制御部１６にチャンネルの指示を入力する。例えば、一般的なＴＶ等では、以前に視聴していたチャンネルで放映されている番組を表示する。
【００２７】
映像処理部１２は、機器制御部１６から入力されたチャンネルに対応した映像データを、受信部１１から入力される映像信号に基づいて作成する。そして、映像処理部１２は、映像データを表示制御部１３に送信する。
【００２８】
表示制御部１３は、映像処理部１２から送信される映像データを映像表示部１４に表示する。また、表示制御部１３は、機器制御部１６から送信されるチャンネル情報を映像表示部１４に表示する。
【００２９】
本実施形態における録画予約処理では、上述した映像を見る場合に加えて、以下の動作を行う。
【００３０】
操作部１５は、機器制御部１６に番組表表示の指示を入力する。機器制御部１６は、映像処理部１２に番組表表示の指示を入力する。映像処理部１２は、機器制御部１６から入力される指示に従い、受信部１１から受信するデータ信号から番組表データを抽出する。そして、映像処理部１２は、番組表データを表示制御部１３に送信する。表示制御部１３は、映像処理部１２から送信される番組表データを映像表示部１４に表示する。ユーザは映像表示部１４に表示された番組表から、どの番組を録画するかを操作部１５を使用して選択する。なお、番組表を使用しない場合、ユーザは、どの番組を録画するかを操作部１５より入力すれば良い。
【００３１】
機器制御部１６は、操作部１５より選択もしくは入力された番組データを基に録画予約の処理を行う。機器制御部１６は、指定された番組の時間になる直前に機器を稼働させ、映像処理部１２にチャンネルの指定を入力する。また、機器制御部１６は、表示制御部１３に録画用映像データの出力を行う。さらに、機器制御部１６は、録画部１７に対して、録画開始及び終了の予約処理を行う。
【００３２】
受信部１１は、機器制御部１６により稼働された直後から、配信データの受信を行う。そして、受信部１１は、映像データを映像処理部１２に出力する。
【００３３】
映像処理部１２は、機器制御部１６より指定されたチャンネルの映像信号をデコードする。そして、映像処理部１２は、デコードした映像信号を表示制御部１３に送信する。
【００３４】
表示制御部１３は、機器制御部１６から送信される映像信号を録画部１７に出力する。録画部１７は、機器制御部１６から指示されるタイミングで録画媒体にデータを記録する。
【００３５】
機器制御部１６は、録画予約された番組情報を基に、録画の終了時刻に到達すると、録画部１７に録画停止を通知する。録画部１７は、機器制御部１６から録画停止を通知されると、録画を終了する。
【００３６】
機器制御部１６は、録画部１７の録画終了処理が終わると同時に、機器の電源をオフにして、一連の録画予約動作を終了する。
【００３７】
上記の手順から、ユーザは録画予約の選択及び予約する番組データの入力後の予約の確定後、ほとんど関与する事は無く、予約を行った録画の取り消しには何ステップもの階層をたどって解除する必要がある。
【００３８】
図３は、本実施形態における情報処理装置１０のハードウェア構成の一例を簡略的に示すブロック図である。情報処理装置１０は、ＣＰＵ（Ｃｅｎｔｒａｌ  Ｐｒｏｃｅｓｓｉｎｇ  Ｕｎｉｔ）１１０１によって全体が制御されている。
【００３９】
ＣＰＵ１１０１及び主記憶装置１１０２には、システムコントローラ１１０３が接続されている。システムコントローラ１１０３は、ＣＰＵ１１０１と主記憶装置１１０２との間のデータ転送や、ＣＰＵ１１０１とバス１１０４との間のデータ転送を制御する。さらに、システムコントローラ１１０３には、バス１１０４を介して、グラフィックスコントローラ１１０５、ＲＯＭ（Ｒｅａｄ  Ｏｎｌｙ  Ｍｅｍｏｒｙ）１１０６、ネットワークコントローラ１１０７、オーディオコントローラ１１０８、電源１１０９、光ディスクドライブ１１１１、キーボードコントローラ１０５０及びディスクコントローラ１１１２が接続されている。
【００４０】
主記憶装置１１０２には、ＣＰＵ１１０１に実行させるＯＳ（Ｏｐｅｒａｔｉｎｇ  Ｓｙｓｔｅｍ）のプログラムやアプリケーションプログラムの少なくとも一部が一時的に格納される。ＣＰＵ１１０１により実行されるこのプログラムが、ＣＰＵ１１０１を前述の映像処理部１２、機器制御部１６、録画部１７として機能させる。つまり、ＣＰＵ１１０１は、前述の映像処理部１２、機器制御部１６及び録画部１７の一例である。また、主記憶装置１１０２には、ＣＰＵ１１０１による処理に必要な各種データが格納される。主記憶装置１１０２には、例えば、ＲＡＭ（Ｒａｎｄｏｍ  Ａｃｃｅｓｓ  Ｍｅｍｏｒｙ）が用いられている。
【００４１】
ディスクコントローラ１１１２には、ハードディスク１１１３が接続されている。ハードディスク１１１３には、ＯＳやアプリケーションのプログラム、各種データが格納される。ハードディスク１１１３は前述の録画媒体の一例である。ＲＯＭ１１０６には、例えば、ＢＩＯＳ（Ｂａｓｉｃ  Ｉｎｐｕｔ／Ｏｕｔｐｕｔ  Ｓｙｓｔｅｍ）プログラムが格納される。
【００４２】
グラフィックスコントローラ１１０５には、ＬＣＤ（Ｌｉｑｕｉｄ  Ｃｒｙｓｔａｌ  Ｍｏｎｉｔｏｒ）等の表示部１１１４が接続されており、ＣＰＵ１１０１からの命令に従って画像を表示部１１１４の画面に表示させる。グラフィックコントローラ１１０５は、前述の表示制御部１３の一例である。表示部１１１４は、前述の映像表示部１４の一例である。
【００４３】
ネットワークコントローラ１１０７は、ネットワークと接続されており、ネットワークを介して、ＣＰＵ１１０１もしくはハードディスク１１１３と他の情報処理装置との間で、データの送受信を行う。ケーブルテレビ網により伝送される映像信号を受信するような場合、ネットワークコントローラ１１０７は、前述の受信部１１の一例となりうる。
【００４４】
キーボードコントローラ１０５０には、キーボード１０２０が接続されており、キーボード１０２０から送られてくる信号を、バス１１０４を介してＣＰＵ１１０１に送信する。キーボード１０２０は、前述の操作部１５の一例である。
【００４５】
オーディオコントローラ１１０８には、スピーカ１１１５が接続されており、ＣＰＵ１１０１からの命令に従って音声をスピーカ１１１５から発生させる。
【００４６】
電源１１０９は、不図示の電源線を介して情報処理装置１０内の各ハードウェアに対して電力を供給する。
【００４７】
チューナ１１１６は、例えばアンテナ１１１７を介して受信した電波から映像信号を取り出す。チューナ１１１６は、前述の受信部１１の一例である。
【００４８】
センサ１１１８は、情報処理装置１０の周囲に人が存在することを検知するための人感センサである。このセンサ１１１８は、例えば、赤外線センサ、超音波センサなどである。センサ１１１８は、前述のセンサ１８の一例である。
【００４９】
図４に、本実施形態における録画予約画面１００を示す。録画予約画面１００には、番組名１０２、チャンネル情報１０４、番組情報１０６、放送時間情報１０８、時刻情報１１０及び予約ボタン１１２が表示される。
【００５０】
番組名１０２は、録画予約を行う番組の名称を示す。チャンネル情報１０４は、録画予約を行う番組のチャンネルを示す。番組情報１０６は、録画予約を行う番組の内容を示す。放送時間情報１０８は、録画予約を行う番組が放送される日時を示す。時刻情報１１０は、現在の時刻を示す。予約ボタン１１２は、予約を確定するためのボタンである。
【００５１】
図５に、本実施形態におけるキャンセル可能にするかの選択メッセージ２００を示す。キャンセル可能にするかの選択メッセージ２００には、「はい」ボタン２０２及び「いいえ」ボタン２０４が表示される。
【００５２】
ユーザが操作部１５を操作することによって、「はい」ボタン２０２が選択されると、機器制御部１６は、録画予約情報に録画がキャンセルされる可能性のあることを示す識別情報を付与する。機器制御部１６は、録画の実行にあたり、当該識別情報を参照することにより、録画をキャンセルする可能性のある録画と判定する。一方、ユーザが操作部１５を操作することによって、「いいえ」ボタン２０４が選択されると、機器制御部１６は、録画予約情報に録画を確実に実行することを示す識別情報を付与する。機器制御部１６は、録画の実行にあたり、当該識別情報を参照することにより、録画を確実に実行する録画であると判定する。
【００５３】
図６に、本実施形態におけるキャンセル選択メッセージ３００を示す。キャンセル選択メッセージ３００には、「はい」ボタン３０２、「いいえ」ボタン３０４が表示される。
【００５４】
「はい」ボタン３０２が選択されると、機器制御部１６は、録画部１７に録画の中止を指示する。一方、「いいえ」ボタン３０４が選択されると、機器制御部１６は、録画部１７に録画の実行を指示する。
【００５５】
図７に、本実施形態における録画予約画面４００を示す。録画予約画面４００には、番組名１０２、チャンネル情報１０４、番組情報１０６、放送時間情報１０８、時刻情報１１０、確定予約ボタン１１４及びキャンセル予約ボタン１１６が表示される。
【００５６】
確定予約ボタン１１４が選択されると、機器制御部１６は、録画をキャンセルする可能性のない録画と判定する。一方、キャンセル予約ボタン１１６が選択されると、機器制御部１６は、録画をキャンセルする可能性のある録画と判定する。
【００５７】
図８に、本実施形態における録画予約画面５００を示す。録画予約画面５００には、番組名１０２、番組情報１０６、放送時間情報１０８、時刻情報１１０、予約ボタン１１２及び番組表１１８が表示される。
【００５８】
番組表１１８は、各チャンネルと番組のタイムテーブルとを対応付けた情報である。
【００５９】
図９に、本実施形態におけるキャンセル選択メッセージ６００を示す。キャンセル選択メッセージ６００には、「はい」ボタン６０２、「いいえ」ボタン６０４及び曜日情報６０６が表示される。
【００６０】
曜日情報６０６は、録画を実行する曜日を示した情報である。ユーザは、操作部１５から録画を行う曜日を選択することで、指定した日に録画が行われる。
【００６１】
「はい」ボタン６０２が選択されると、機器制御部１６は、録画部１７に録画の中止を指示する。一方、「いいえ」ボタン６０４が選択されると、機器制御部１６は、録画部１７に録画の実行を指示する。
【００６２】
図１０に、本実施形態における録画予約画面７００を示す。録画予約画面７００には、番組名１０２、番組情報１０６、放送時間情報１０８、時刻情報１１０、確定予約ボタン１１４及びキャンセル予約ボタン１１６が表示される。
【００６３】
図１１に、本実施形態における録画予約画面８００を示す。録画予約画面８００には、番組名１０２、番組情報１０６、放送時間情報１０８、時刻情報１１０、確定予約ボタン１１４、キャンセル予約ボタン１１６及び曜日情報６０６が表示される。
【００６４】
本実施形態では、センサ１８からの情報を基に、予約が不要となった場合に簡単に録画予約を取り消す事が可能となる。
【００６５】
未確定な録画予約を行った場合、各機器が稼働した段階で、センサ１８は視聴者の存在を検出する。視聴者の存在を検出した場合、センサ１８は、機器制御部１６に視聴者の存在を検出したことを通知する。
【００６６】
視聴者の存在を検出したことの通知を受信した機器制御部１６は、表示制御部１３に対し、録画キャンセルまたは実行の選択メッセージを表示するように通知する。
【００６７】
表示制御部１３は、選択メッセージを表示するための通知を受信すると、メッセージを映像表示部１４に表示させる。メッセージを確認した視聴者は操作部１５より録画キャンセルまたは録画実行の選択を行う。機器制御部１６は、操作部１５より録画キャンセルの指示を受けた場合、直ちに録画予約をキャンセルする。なお、メッセージが表示されたまま、操作部１５より何も指示をしなかった場合、録画時間と同時に録画を開始する。
【００６８】
図１２を用いて本実施形態における情報処理装置１０の処理について説明する。
【００６９】
ステップＳ１０１において、機器制御部１６は、録画予約を受信する。処理はステップＳ１０２へ移行する。
【００７０】
ステップＳ１０２において、機器制御部１６は、ステップＳ１０１において受信した録画予約に基づいて、当該録画予約に対応する番組の予約時刻の所定時間前に到達したか否かを判定する。予約時刻の所定時間前に到達した場合、処理はステップＳ１０３へ移行する。一方、予約時刻の所定時間前に到達していない場合、処理はステップＳ１０２に戻る。
【００７１】
ステップＳ１０３において、機器制御部１６は、ステップＳ１０１において受信した録画予約に基づいて、当該録画予約が確定した録画予約であるか否かを判定する。当該録画予約が確定した録画予約である場合、処理はステップＳ１０４へ移行する。一方、当該録画予約がキャンセルする可能性のある録画予約である場合、処理はステップＳ１０６へ移行する。
【００７２】
ステップＳ１０４において、機器制御部１６は、ステップＳ１０１において受信した録画予約に基づいて、当該録画予約に対応する番組の予約時刻に到達したか否かを判定する。当該録画予約に対応する番組の予約時刻に到達した場合、処理はステップＳ１０５へ移行する。一方、当該録画予約に対応する番組の予約時刻に到達していない場合、処理はステップＳ１０４に戻る。
【００７３】
ステップＳ１０５において、機器制御部１６は、録画部１７に録画予約に対応する番組の録画を実行させる。処理は終了する。
【００７４】
ステップＳ１０６において、センサ１８は、視聴者の検出を行う。処理はステップＳ１０７へ移行する。
【００７５】
ステップＳ１０７において、センサ１８は、視聴者を検出したか否かを判定する。視聴者を検出したか否かを判定する。視聴者を検出した場合、処理はステップＳ１０８へ移行する。一方、視聴者を検出していない場合、処理はステップＳ１０４へ移行する。
【００７６】
ステップＳ１０８において、センサ１８から視聴者の検出したことの通知を受けた機器制御部１６は、表示制御部１３に映像表示部１４への選択メッセージの表示を命令する。表示制御部１３は、映像表示部１４に、図６において説明したキャンセル選択メッセージ３００を表示する。処理はステップＳ１０９へ移行する。
【００７７】
ステップＳ１０９において、機器制御部１６は、ユーザによって操作部１５から録画実行の指示を受信したか否かを判定する。ユーザによって操作部１５から録画実行の指示を受信した場合、処理はステップＳ１０４へ移行する。一方、ユーザによって操作部１５から録画実行の指示を受信した場合、処理はステップＳ１１０へ移行する。
【００７８】
ステップＳ１０９において、機器制御部１６は、ステップＳ１０１において受信した録画予約に対応する番組の録画予約を取り消す。処理は終了する。
【００７９】
以上、本実施形態によれば、録画予約に対応する番組の録画の開始前に、視聴者が検出された場合、視聴者に録画を実行するか否かのメッセージを表示して、録画実行の指示を仰ぐことで、効率的に録画を実行することができる。
【００８０】
＜実施の形態２＞
図１３及び図１４を用いて、本実施形態における情報処理装置１０の処理について説明する。なお、図１３において図１２と同じ番号を付したステップについての説明は上述したので省略する。
【００８１】
ステップＳ２０１において、機器制御部１６は、ユーザによって操作部１５から視聴チャンネルの変更指示を受信したか否かを判定する。ユーザによって操作部１５から視聴チャンネルの変更指示を受信した場合、処理はステップＳ２０２へ移行する。一方、ユーザによって操作部１５から視聴チャンネルの変更指示を受信しない場合、処理は終了する。
【００８２】
ステップＳ２０２において、機器制御部１６は、ステップＳ１０１において受信した録画予約に基づいて、当該録画予約に対応する番組の終了時刻に到達しているか否かを判定する。録画予約に対応する番組の終了時刻に到達している場合、処理は終了する。一方、録画予約に対応する番組の終了時刻に到達していない場合、処理はステップＳ２０３へ移行する。
【００８３】
ステップＳ２０３において、機器制御部１６は、録画部１７に録画予約に対応する番組の録画を実行させる。処理は終了する。
【００８４】
以上、本実施形態によれば、録画予約に対応する番組の録画を不実行とした後に、視聴チャンネルを変更した場合、録画予約に対応する番組の録画を開始するため、視聴者が他の番組を見たくなっても、視聴していた番組を録画しておき、後で視聴することができる。
【００８５】
＜実施の形態３＞
図１５及び図１６を用いて、本実施形態における情報処理装置１０の処理について説明する。なお、図１５において図１２と同じ番号を付したステップについての説明は上述したので省略する。
【００８６】
ステップＳ３０１において、センサ１８は、視聴者を検出したか否かを判定する。視聴者を検出した場合、処理は終了する。一方、視聴者を検出しない場合、処理はステップＳ３０２へ移行する。
【００８７】
ステップＳ３０２において、機器制御部１６は、ステップＳ１０１において受信した録画予約に基づいて、当該録画予約に対応する番組の終了時刻に到達しているか否かを判定する。録画予約に対応する番組の終了時刻に到達している場合、処理は終了する。一方、録画予約に対応する番組の終了時刻に到達していない場合、処理はステップＳ３０３へ移行する。
【００８８】
ステップＳ３０３において、機器制御部１６は、録画部１７に録画予約に対応する番組の録画を実行させる。処理は終了する。
【００８９】
以上、本実施形態によれば、録画予約に対応する番組の録画を不実行とした後に、視聴者が不存在と判定された場合、録画予約に対応する番組の録画を開始するため、視聴者が緊急の用事等でその場を離れたとしても、視聴していた番組を録画しておき、後で視聴することができる。
【００９０】
以上、本発明の例示的な実施の形態の画像処理装置について説明したが、本発明は、具体的に開示された実施の形態に限定されるものではなく、特許請求の範囲から逸脱することなく、種々の変形や変更が可能である。
【符号の説明】
【００９１】
１０  情報処理装置
１００、４００、５００、７００、８００  録画予約画面
１０２  番組名
１０２０  キーボード
１０４  チャンネル情報
１０５０  キーボードコントローラ
１０６  番組情報
１０８  放送時間情報
１１  受信部
１１０１  ＣＰＵ
１１０２  主記憶装置
１１０３  システムコントローラ
１１０４  バス
１１０５  グラフィックスコントローラ
１１０６  ＲＯＭ
１１０７  ネットワークコントローラ
１１０８  オーディオコントローラ
１１０９  電源
１１１１  光ディスクドライブ
１１１２  ディスクコントローラ
１１１３  ハードディスク
１１１４  表示部
１１１５  スピーカ
１１１６  チューナ
１１１７  アンテナ
１１１８  センサ
１１２  予約ボタン
１２  映像処理部
１３  表示制御部
１４  映像表示部
１５  操作部
１６  機器制御部
１７  録画部
１８  センサ
１１０  時刻情報
１１４  確定予約ボタン
１１６  キャンセル予約ボタン
２００、３００、６００  選択メッセージ
２０２、３０２、６０２  「はい」ボタン
２０４、３０４、６０４  「いいえ」ボタン
３００  キャンセル選択メッセージ
６０６  曜日情報
【図１】
2012127521.tif 000003
【図２】
2012127521.tif 000004
【図３】
2012127521.tif 000005
【図４】
2012127521.tif 000006
【図５】
2012127521.tif 000007
【図６】
2012127521.tif 000008
【図７】
2012127521.tif 000009
【図８】
2012127521.tif 000010
【図９】
2012127521.tif 000011
【図１０】
2012127521.tif 000012
【図１１】
2012127521.tif 000013
【図１２】
2012127521.tif 000014
【図１３】
2012127521.tif 000015
【図１４】
2012127521.tif 000016
【図１５】
2012127521.tif 000017
【図１６】
2012127521.tif 000018
【手続補正書】
【提出日】平成25年8月20日(2013.8.20)
【手続補正１】
【補正対象書類名】特許請求の範囲
【補正対象項目名】全文
【補正方法】変更
【補正の内容】
【特許請求の範囲】
【請求項１】
録画予約情報に対応する録画を実行する制御部を有する情報処理装置の制御方法において、
前記制御部は、
録画を実行する録画予約情報を受信し、
前記録画予約情報に対応する録画の実行にあたり、前記情報処理装置に接続されたセンサを用いて、ユーザの存在を検出し、
前記ユーザの存在を検出した場合、表示部に前記録画予約情報に対応する録画を実行するか否かのメッセージ情報を出力する、
ことを特徴とする情報処理装置の制御方法。
【請求項２】
前記制御部は、前記受信した録画予約情報が前記録画予約情報に対応する録画が不実行となる可能性があることを示す識別情報を有しているか否かを判定し、前記受信した録画予約情報が前記識別情報を有している場合、前記センサを用いて前記ユーザの存在を検出する、
ことを特徴とする請求項１記載の情報処理装置の制御方法。
【請求項３】
前記制御部は、前記表示部に前記メッセージ情報を出力した後に、
操作部から前記録画の不実行命令を受信した場合は前記録画を中止する、あるいは、操作部から前記録画の実行命令を受信した場合は前記録画を実行する、
ことを特徴とする請求項２記載の情報処理装置の制御方法。
【請求項４】
前記制御部は、前記録画を中止した後に、
操作部から前記表示部に表示されている番組の変更命令を受信した場合は前記録画を中止した録画予約情報に対応する録画を実行する、あるいは前記センサが前記ユーザの不在を検出した場合は前記録画を中止した録画予約情報に対応する録画を実行する
ことを特徴とする請求項２記載の情報処理装置の制御方法。
【請求項５】
録画予約情報に対応する録画を実行する情報処理装置を制御する制御プログラムであって、
前記情報処理装置に、
録画を実行する録画予約情報を受信し、
前記録画予約情報に対応する録画の実行にあたり、前記情報処理装置に接続されたセンサを用いて、ユーザの存在を検出し、
前記ユーザの存在を検出した場合、表示部に前記録画予約情報に対応する録画を実行するか否かのメッセージ情報を出力する、
処理を実行させることを特徴とする情報処理装置の制御プログラム。
【請求項６】
録画予約情報に対応する録画を実行する情報処理装置において、
ユーザの存在を検出するセンサと、
録画を実行する録画予約情報を受信し、前記録画予約情報に対応する録画の実行にあたり、前記センサを用いて、ユーザの存在を検出し、前記ユーザの存在を検出した場合、表示部に前記録画予約情報に対応する録画を実行するか否かのメッセージ情報を出力する制御部と、
を有することを特徴とする情報処理装置。
【手続補正書】
【提出日】平成26年4月7日(2014.4.7)
【手続補正１】
【補正対象書類名】特許請求の範囲
【補正対象項目名】全文
【補正方法】変更
【補正の内容】
【特許請求の範囲】
【請求項１】
録画予約情報に対応する録画を実行する制御部を有する情報処理装置の制御方法において、
前記制御部は、
録画を実行する録画予約情報を受信し、
前記録画予約情報に対応する録画の実行にあたり、前記受信した録画予約情報が前記録画予約情報に対応する録画が不実行となる可能性があることを示す識別情報を有しているか否かを判定し、前記受信した録画予約情報が前記識別情報を有している場合、前記情報処理装置に接続されたセンサを用いてユーザの存在を検出し、
前記ユーザの存在を検出した場合、表示部に前記録画予約情報に対応する録画を実行するか否かのメッセージ情報を出力する、
ことを特徴とする情報処理装置の制御方法。
【請求項２】
前記制御部は、前記表示部に前記メッセージ情報を出力した後に、
操作部から前記録画の不実行命令を受信した場合は前記録画を中止する、あるいは、操作部から前記録画の実行命令を受信した場合は前記録画を実行する、
ことを特徴とする請求項１記載の情報処理装置の制御方法。
【請求項３】
前記制御部は、前記録画を中止した後に、
操作部から前記表示部に表示されている番組の変更命令を受信した場合は前記録画を中止した録画予約情報に対応する録画を実行する、あるいは前記センサが前記ユーザの不在を検出した場合は前記録画を中止した録画予約情報に対応する録画を実行する
ことを特徴とする請求項１記載の情報処理装置の制御方法。
【請求項４】
録画予約情報に対応する録画を実行する情報処理装置を制御する制御プログラムであって、
前記情報処理装置に、
録画を実行する録画予約情報を受信し、
前記録画予約情報に対応する録画の実行にあたり、前記受信した録画予約情報が前記録画予約情報に対応する録画が不実行となる可能性があることを示す識別情報を有しているか否かを判定し、前記受信した録画予約情報が前記識別情報を有している場合、前記情報処理装置に接続されたセンサを用いて、ユーザの存在を検出し、
前記ユーザの存在を検出した場合、表示部に前記録画予約情報に対応する録画を実行するか否かのメッセージ情報を出力する、
処理を実行させることを特徴とする情報処理装置の制御プログラム。
【請求項５】
録画予約情報に対応する録画を実行する情報処理装置において、
ユーザの存在を検出するセンサと、
録画を実行する録画予約情報を受信し、前記録画予約情報に対応する録画の実行にあたり、前記受信した録画予約情報が前記録画予約情報に対応する録画が不実行となる可能性があることを示す識別情報を有しているか否かを判定し、前記受信した録画予約情報が前記識別情報を有している場合、前記センサを用いて、ユーザの存在を検出し、前記ユーザの存在を検出した場合、表示部に前記録画予約情報に対応する録画を実行するか否かのメッセージ情報を出力する制御部と、
を有することを特徴とする情報処理装置。
【国際調査報告】
2012127521.tif 000019
2012127521.tif 000020
2012127521.tif 000021
2012127521.tif 000022